(57)【要約】【課題】設定したレンズ位置に基づいたズーム操作の使い勝手を向上させる。【解決手段】ズーム位置を変更するズーム操作を受け付けるズーム操作手段(７０ａ)と、前記ズーム操作に応じてズーム位置を変更するように制御する制御手段(５０)と、光学ズーム領域内であって、光学広角端でも光学望遠端でもない所定のズーム位置(４０１)から前記光学望遠端までの倍率（４０３）と、前記所定のズーム位置から前記光学広角端までの倍率(４０２)の少なくとも一方を表示するように制御する表示制御手段（５０）とを有する。【選択図】図６
2018109794.tif 000002
【特許請求の範囲】
【請求項１】
ズーム位置を変更するズーム操作を受け付けるズーム操作手段と、
前記ズーム操作に応じてズーム位置を変更するように制御する制御手段と、
光学ズーム領域内であって、光学広角端でも光学望遠端でもない所定のズーム位置から前記光学望遠端までの倍率と、前記所定のズーム位置から前記光学広角端までの倍率の少なくとも一方を表示するように制御する表示制御手段と
を有することを特徴とする電子機器。
【請求項２】
ズーム位置を変更するズーム操作を受け付けるズーム操作手段と、
前記ズーム操作に応じてズーム位置を変更するように制御する制御手段と、
光学ズーム領域内であって、光学広角端でも光学望遠端でもない所定のズーム位置から現在のズーム位置までの倍率を表示するように制御する表示制御手段と
を有することを特徴とする電子機器。
【請求項３】
前記表示制御手段は、前記所定のズーム位置から前記光学望遠端までの倍率と、前記所定のズーム位置から前記光学広角端までの倍率の少なくとも一方を更に表示するように制御することを特徴とする請求項２に記載の電子機器。
【請求項４】
前記制御手段は、撮影モードを開始する際にズーム位置が前記所定のズーム位置となるように制御することを特徴とする請求項１乃至３のいずれか１項に記載の電子機器。
【請求項５】
前記所定のズーム位置を、ユーザの操作に応じて設定する設定手段を更に有することを特徴とする請求項１乃至４のいずれか１項に記載の電子機器。
【請求項６】
前記所定のズーム位置を、ユーザの操作履歴における使用頻度が高いズーム位置に基づいて設定する設定手段を更に有することを特徴とする請求項１乃至４のいずれか１項に記載の電子機器。
【請求項７】
複数の撮影モードのうちいずれかに設定する撮影モード設定手段を更に有し、
前記所定のズーム位置は、撮影モードに応じて異なる位置であることを特徴とする請求項１乃至６のいずれか１項に記載の電子機器。
【請求項８】
ズーム領域における現在のズーム位置を示すバーを表示するバー表示領域に対して、前記所定のズーム位置に対応する位置を示す表示を行うことを特徴とする請求項１乃至７のいずれか１項に記載の電子機器。
【請求項９】
前記バー表示領域に対して、前記所定のズーム位置に対応する位置に所定のアイコンを表示し、前記光学広角端に対応する位置に広角端アイコンを表示し、前記光学望遠端に対応する位置に望遠端アイコンを表示することを特徴とする請求項８に記載の電子機器。
【請求項１０】
前記電子機器は、撮像手段を有する撮像装置であることを特徴とする請求項１乃至９のいずれか１項に記載の電子機器。
【請求項１１】
ズーム位置を変更するズーム操作を受け付けるズーム操作ステップと、
前記ズーム操作に応じてズーム位置を変更するように制御する制御ステップと、
光学ズーム領域内であって、光学広角端でも光学望遠端でもない所定のズーム位置から前記光学望遠端までの倍率と、前記所定のズーム位置から前記光学広角端までの倍率の少なくとも一方を表示するように制御する表示制御ステップとを有することを特徴とする電子機器の制御方法。
【請求項１２】
ズーム位置を変更するズーム操作を受け付けるズーム操作ステップと、
前記ズーム操作に応じてズーム位置を変更するように制御する制御ステップと、
光学ズーム領域内であって、光学広角端でも光学望遠端でもない所定のズーム位置から現在のズーム位置までの倍率を表示するように制御する表示制御ステップと
を有することを特徴とする電子機器の制御方法。
【請求項１３】
コンピュータを、請求項１乃至１０のいずれか１項に記載された電子機器の各手段として機能させるためのプログラム。
【請求項１４】
コンピュータを、請求項１乃至１０のいずれか１項に記載された電子機器の各手段として機能させるためのプログラムを格納したコンピュータが読み取り可能な記憶媒体。
【発明の詳細な説明】
【技術分野】
【０００１】
本発明は電子機器及びその制御方法、プログラム、並びに記録媒体に関し、特にズーム操作を行う電子機器及びその制御方法、プログラム、並びに記録媒体に関する。
【背景技術】
【０００２】
カメラはズーム倍率を変更するズーム機構を備えるが、近年、カメラの広角化及び望遠化は進んでいる。画角が広いと被写体を容易に確認できるため、通常、カメラの起動時には、カメラのレンズは広角端に位置する。
【０００３】
一方、カメラ起動時にレンズが広角端に位置する必要がないユーザのために、カメラの起動時にレンズをユーザの設定したレンズ位置へ自動的に移動させるカメラがある（特許文献１参照）。
【先行技術文献】
【特許文献】
【０００４】
【特許文献１】特開２００２−１１２０９７号公報
【発明の概要】
【発明が解決しようとする課題】
【０００５】
しかしながら、特許文献１のカメラでは、カメラの起動時のみにレンズをユーザの設定したレンズ位置へ自動的に移動させるため、カメラの起動後にレンズ位置を変更したような場合は、変更後のレンズ位置からレンズがユーザの設定したレンズ位置へ自動的に移動することがない。したがって、ユーザが設定したレンズ位置での撮影を所望した場合であっても、撮影の度にユーザがレンズ位置をマニュアルで変更する必要があった。そのため、レンズ位置の変更に時間を要してシャッターチャンスを失うことがある。すなわち、起動時以外に容易に設定したレンズ位置で撮影できないという問題がある。
【０００６】
本発明の目的は、ユーザが初期レンズ位置を設定した場合の撮影の使い勝手を向上させた電子機器及びその制御方法、プログラム、並びに記録媒体を提供することにある。
【課題を解決するための手段】
【０００７】
上記目的を達成するために、本発明の電子機器は、ズーム位置を変更するズーム操作を受け付けるズーム操作手段と、前記ズーム操作に応じてズーム位置を変更するように制御する制御手段と、光学ズーム領域内であって、光学広角端でも光学望遠端でもない所定のズーム位置から前記光学望遠端までの倍率と、前記所定のズーム位置から前記光学広角端までの倍率の少なくとも一方を表示するように制御する表示制御手段とを有することを特徴とする。
【発明の効果】
【０００８】
本発明によれば、設定したレンズ位置に基づいたズーム操作の使い勝手を向上させることができる。
【図面の簡単な説明】
【０００９】
【図１】本発明の実施の形態に係る電子機器としてのデジタルカメラの背面図である。
【図２】図１のデジタルカメラの内部構成を概略的に示すブロック図である。
【図３】図１における表示部に表示されるレンズ位置設定画面を説明するために用いられる図である。
【図４】図１における表示部に表示される撮影画面を説明するために用いられる図である。
【図５】図２におけるシステム制御部によって実行される撮影モード処理を示すフローチャートである。
【図６】図５のＳ５０６で実行されるズーム処理の手順を示すフローチャートである。
【図７】図５のＳ５０８で実行されるメニュー処理の手順を示すフローチャートである。
【発明を実施するための形態】
【００１０】
以下、本発明の実施の形態を図面を参照しながら詳述する。
【００１１】
図１は、本発明の実施の形態に係る電子機器としてのデジタルカメラ１００の背面図である。
【００１２】
図１のデジタルカメラ１００は、本体に、表示部２８、モード切替スイッチ６０、シャッターボタン６１、操作部７０、電源スイッチ７２、接続ケーブル１１１、コネクタ１１２、記録媒体２００、記録媒体スロット２０１、記録媒体スロットの蓋２０２、及び光学ファインダ２１０を有する。操作部７０は、ズームレバー７０ａ、メニューボタン７０ｂ、消去ボタン、ＳＥＴボタン、ディスプレイボタン、十字に配置された４方向ボタン（上ボタン、下ボタン、右ボタン、左ボタン）、及びホイールの各ボタンで構成される。
【００１３】
表示部２８は、例えば、液晶ディスプレイであり、記憶媒体２００に格納された画像データやタッチパネル式の操作ボタンを表示する。モード切替スイッチ６０は、デジタルカメラ１００を撮影モード、再生モード、又は動画撮影モードを含む複数の動作モードのいずれかへ切り替える。なお、撮影モード及び動画撮影モードはさらに複数のモードを有する。操作部７０はユーザからの操作を受け、電源スイッチ７２は電源のオンとオフを切り替える。接続ケーブル１１１はデジタルカメラ１００と外部機器を接続し、コネクタ１１２は接続ケーブル１１１とデジタルカメラ１００を接続する。
【００１４】
記録媒体２００はメモリカードやハードディスク等であり、記録媒体スロット２０１は記録媒体２００を格納する。光学ファインダ２１０は、ユーザによって被写体や画角を確認するときに使用される。
【００１５】
図２は、図１のデジタルカメラ１００の内部構成を概略的に示すブロック図である。
【００１６】
図２において、デジタルカメラ１００は、マイク１０、音声制御部１１、タイミング発生部１２、Ｄ／Ａ変換器１３、メモリ制御部１５、圧縮／伸張部１６、インターフェース１８、撮像部２２、Ａ／Ｄ変換器２３、画像処理部２４、表示部２８、電源部３０、メモリ３２、コネクタ３３，３４、スピーカ３９、ＲＴＣ（Real Time Clock）４０、システム制御部５０、システムメモリ５２、不揮発性メモリ５６、モード切替スイッチ６０、シャッターボタン６１、操作部７０、電源スイッチ７２、電源制御部８０、レンズ駆動部９０、記録媒体着脱検知部９６、シャッター１０１、バリア１０２、少なくとも１つのフォーカスレンズ及び少なくとも１つのズームレンズを含む撮影レンズ１０３、通信部１１０、及びコネクタ（無線通信の場合はアンテナ）１１２を有する。さらに、図２において、記録媒体２００は、記録部１９、コネクタ３５，３６、及びインターフェース３７を有する。
【００１７】
マイク１０から出力された音声信号は、アンプ等で構成される音声制御部１１を介してＡ／Ｄ変換器２３へ入力され、該Ａ／Ｄ変換器２３にてデジタル信号に変換された後、メモリ制御部１５を介してメモリ３２に格納される。
【００１８】
音声制御部１１は、記録媒体２００に格納されている音声データをメモリ３２に格納した後、当該音声データをＤ／Ａ変換器１３によってアナログ信号に変換し、スピーカ３９を駆動して音声出力する。
【００１９】
タイミング発生部１２は、メモリ制御部１５及びシステム制御部５０によって制御されると共に、音声制御部１１、Ｄ／Ａ変換器１３、撮像部２２、及びＡ／Ｄ変換器２３にクロック信号や制御信号を供給する。Ｄ／Ａ変換器１３は、メモリ３２に格納されている画像表示用のデータをアナログ信号に変換して表示部２８に供給する。
【００２０】
圧縮／伸張部１６は、適応離散コサイン変換（ＡＤＣＴ）等によりメモリ３２に格納された撮像画像及び圧縮画像に対して夫々圧縮処理及び伸張処理を行い、処理済みの画像データをメモリ３２に格納する。メモリ３２に格納された画像データは、システム制御部５０においてファイル化され、インターフェース１８を介して記録媒体２００に格納される。
【００２１】
インターフェース１８は、デジタルカメラ１００と記録媒体２００を接続するインターフェースである。撮像部２２は光学像を電気信号に変換するＣＣＤやＣＭＯＳ素子等で構成される。Ａ／Ｄ変換器２３は、アナログ信号をデジタル信号に変換することができ、撮像部２２から出力されるアナログ信号をデジタル信号に変換するときや、音声制御部１１から出力されるアナログ信号をデジタル信号に変換するときに使用される。Ａ／Ｄ変換器２３の出力データは、画像処理部２４、メモリ制御部１５を順次介して、又はメモリ制御部１５を直接介して、メモリ３２に格納される。
【００２２】
画像処理部２４は、Ａ／Ｄ変換器２３からのデータ、又はメモリ制御部１５からのデータに対して所定の画素補間や縮小等のリサイズ処理や色変換処理を行う。また、画像処理部２４は撮像して得た画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。さらに、画像処理部２４は撮像して得た画像データを用いて所定の演算処理を行い、得られた演算結果に基づいてＴＴＬ方式のＡＷＢ（オートホワイトバランス）処理を行う。
【００２３】
画像表示部２８は、Ｄ／Ａ変換器１３からのアナログ信号に応じて表示を行う。例えば、メモリ３２に格納されている表示用の画像データはＤ／Ａ変換器１３を介して画像表示部２８に表示される。なお、画像表示部２８は必ずしもデジタルカメラ１００が有する必要はなく、デジタルカメラ１００は内部又は外部の表示装置と接続することができ、少なくとも表示装置の表示を制御する表示制御機能を有していればよい。電源部３０は、アルカリ電池やリチウム電池等の一次電池、ＮｉＣｄ電池又はＮｉＭＨ電池若しくはＬｉ電池の二次電池、ＡＣアダプター等からなる。
【００２４】
メモリ３２は、撮像部２２から出力されるアナログ信号をデジタル信号に変換して得られる画像データや画像表示部２８に表示するための画像データを格納する。また、メモリ３２は、マイク１０において録音された音声データ、静止画像、動画画像、及び画像ファイルのファイルヘッダを格納する。さらに、メモリ３２は、画像表示部２８に表示されるデータを一時的に格納し（ビデオメモリ）、所定枚数の静止画像や所定時間の動画画像及び音声を格納するための十分な記憶容量を備えている。
【００２５】
コネクタ３３，３４は電源部３０と電源制御部８０を接続する。ＲＴＣ４０は日付及び時刻を計時する。また、ＲＴＣ４０は、電源制御部８０とは別に内部に電源部を保持しており、電源部３０による電気の供給が途絶えても、計時状態を続けることができる。
【００２６】
コネクタ３５，３６は記録媒体２００とインターフェース１８を接続するためのコネクタである。記録媒体着脱検知部９６はコネクタ３５，３６に記録媒体２００が接続されているか否かを検知する。
【００２７】
システム制御部５０は、デジタルカメラ１００全体を制御する。また、システム制御部５０は、不揮発性メモリ５６に格納されたプログラムを実行して、後述する本発明の実施の形態における各処理を行う。さらに、システム制御部５０は、ＲＴＣ４０が計時した日時を取得し、システムタイマを設定することによってタイマ制御を実行する。
【００２８】
システムメモリ５２は、ＲＡＭであり、システム制御部５０の動作用の定数、変数、不揮発性メモリ５６から読み出したプログラム等を展開する。不揮発性メモリ５６は電気的に消去・記録可能なメモリ、例えば、ＥＥＰＲＯＭであり、システム制御部５０の動作用の定数、後述する各種フローチャートを実行するためのプログラム等を格納する。
【００２９】
モード切替スイッチ６０及び操作部７０は、システム制御部５０に各種の動作指示を入力するための操作手段である。
【００３０】
モード切替スイッチ６０に対する操作に応じて、デジタルカメラ１００に適用される動作モードが設定される。動作モードのうち撮影モードが設定された場合には、撮影モードが有する複数のモード、例えば、オート撮影モード、オートシーン判別モード、マニュアルモード、撮影シーン別の撮影設定となる各種シーンモード、プログラムＡＥモード、及びカスタムモードのいずれか１つが操作部７０を操作することによって設定される。動作モード及び撮影モードはモード切り替えスイッチ６０によって切り替えてもよく、他の操作部材によって切り替えてもよい。
【００３１】
シャッターボタン６１は、押下が中途で中断された状態（いわゆる半押し状態）で第１シャッタースイッチ信号ＳＷ１を発生し、完全に押下された状態（いわゆる全押し状態）で第２シャッタースイッチ信号ＳＷ２を発生する。
【００３２】
第１シャッタースイッチ信号ＳＷ１の発生が検知されると、システム制御部５０によってＡＦ処理、ＡＥ処理、ＡＷＢ処理、ＥＦ処理等の動作が開始される。また、第２シャッタースイッチ信号ＳＷ２の発生が検知されると、システム制御部５０によって撮像部２２からの信号読み出しから記録媒体２００に画像データを格納するまでの一連の撮像処理の動作が開始される。
【００３３】
操作部７０を構成する各ボタンが押下されると、システム制御部５０によって押下されたボタンに応じた機能が実行される。例えば、メニューボタン７０ｂが押下されると撮影／設定画面が画像表示部２８に表示される。
【００３４】
電源制御部８０は、電池検出回路、ＤＣ−ＤＣコンバータ、通電するブロックを切り替えるスイッチ回路等により構成される。電源制御部８０は、電池の装着の有無、電池の種類、電池残量の検出を行い、当該検出の結果及びシステム制御部５０の指示に基づいてＤＣ−ＤＣコンバータを制御し、必要な電圧を記録媒体２００を含む各部へ供給する。
【００３５】
バリア１０２は、撮像部２２を覆うことにより、レンズ１０３、絞り機能を備えるシャッター１０１、及び撮像部２２を含む撮像系の汚れや破損を防止する。
【００３６】
通信部１１０は、デジタルカメラ１００と外部装置を接続するためのインターフェースであり、ＲＳ２３２Ｃ、ＵＳＢ、ＩＥＥＥ１３９４、Ｐ１２８４、ＳＣＳＩ、モデム、ＬＡＮ、無線通信等の各種通信方式を採用する。
【００３７】
コネクタ１１２は、通信部１１０を介してデジタルカメラ１００を他の機器と接続するためのコネクタであり、無線通信のときはアンテナとなる。記録媒体２００は、半導体メモリや磁気ディスク等から構成される記録部１９を有し、記録部１９は、コネクタ３５，３６、及びインターフェース３７を介してデジタルカメラ１００と接続する。
【００３８】
図３は、図１における表示部２８に表示されるレンズ位置設定画面３００を説明するために用いられる図である。
【００３９】
図３（ａ）は図１におけるメニューボタン７０ｂが押下されると表示部２８に表示される撮影／設定画面の表示例であり、図３（ａ）の撮影／設定画面はレンズ位置設定ボタン３０１を含む。レンズ位置設定ボタン３０１が押下されるとレンズ位置設定画面３００が表示される（図３（ｂ））。レンズ位置設定画面３００には、スルー表示中に表示されるスルー画像３１０に重畳してズームバー３０２、ズームバー表示部３０３、広角端アイコン３０４（第１の表示アイテム）、望遠端アイコン３０５（第２の表示アイテム）、ズーム倍率３０６、ダイアログ３０７、決定ボタン３０８、及びキャンセルボタン３０９が表示される。スルー表示とは撮像部２２で撮像している画像がほぼリアルタイムで表示部２８に表示されることをいう。
【００４０】
ズームバー３０２は、光学ズーム領域におけるズームレンズのレンズ位置を示し、ズームバー表示部３０３はズームバー３０２を表示する。なお、ズームバー表示部３０３には、電子ズーム領域も合わせて表示してもよい。広角端アイコン３０４はズームレンズの広角端を表示するアイコンであり、望遠端アイコン３０５はズームレンズの望遠端を表示するアイコンである。本発明の実施の形態では、広角端アイコン３０４及び望遠端アイコン３０５はいずれも光学ズーム領域における広角端と望遠端であるものとするが、望遠端は電子ズーム領域の望遠端としてもよい。
【００４１】
ズーム倍率３０６は、ユーザによって設定されるユーザ所望のズームレンズのレンズ位置（以下、「カスタマイズレンズ位置」という）を基準としてレンズ位置が光学望遠端にあるときのズーム倍率を表示する。ダイアログ３０７はユーザへメッセージを表示し、図３（ｂ）ではカスタマイズレンズ位置のズーム操作による設定のリクエストをメッセージとして表示する。決定ボタン３０８はカスタマイズレンズ位置を決定するときに押下され、キャンセルボタン３０９はカスタマイズレンズ位置の設定を中止するときに押下される。
【００４２】
ユーザは、レンズ位置設定画面３００が表示された後にズーム操作を行い、ズームレンズの位置がユーザ所望のレンズ位置となったとき（図３（ｃ））にズーム操作を中止し、決定ボタンを押下して、カスタマイズレンズ位置を設定する。カスタマイズレンズ位置は、光学ズーム領域におけるユーザの所望の位置に設定される。図３（ｃ）において焦点距離４．３ｍｍ〜４３ｍｍ（３５ｍｍフィルム換算で２４ｍｍから２４０ｍｍ相当の画角）でズームが可能な１０倍ズームレンズの場合を例に挙げる。この場合、ズームバー３０２が長くなっていることより、カスタマイズレンズ位置が、広角端である焦点距離４．３ｍｍではなく、光学ズームの広角端と望遠端の中間に設定されていることがわかる。この例では、カスタマイズレンズ位置は焦点距離８．６ｍｍ（３５ｍｍフィルム換算で４８ｍｍ相当の画角）に設定されている。ズーム倍率３０６に５倍と表示されていることにより、望遠端である焦点距離４３ｍｍ（３５ｍｍフィルム換算で２４０ｍｍ相当の画角）までは５倍の光学ズームとなることがわかる。すなわち、１０倍のズームレンズを有しているとしても、現在のカスタマイズレンズ位置からは５倍までしかズームインすることができないことをユーザが容易に理解できる。一方、このカスタマイズレンズ位置の場合は、このカスタマイズレンズ位置（焦点距離８．６ｍｍ）から見て１／２倍（広角端の焦点距離４．３ｍｍ）までズームアウトすることができる。
【００４３】
レンズ位置設定画面３００では、カスタマイズレンズ位置を基準としたときの望遠端におけるズーム倍率３０６が表示されるので、カスタマイズレンズ位置における撮影画像の拡大可能な最大倍率を容易に把握することができ、もって、カメラのユーザに対する使い勝手を向上することができる。なお、カスタマイズレンズ位置は、撮影モード毎に設定されてもよい。
【００４４】
図４は、図１における表示部２８に表示される撮影画面４００を説明するために用いられる図である。
【００４５】
図４（ａ）は、図１における表示部２８に表示される撮影画面４００の表示例である。図４（ａ）の撮影画面４００には、図３（ｂ）のレンズ位置設定画面３００と同様に、スルー表示中に表示されるスルー画像４０４に重畳してズームバー３０２、ズームバー表示部３０３、広角端アイコン３０４、及び望遠端アイコン３０５が表示される。さらに、撮影画面４００には、ユーザアイコン４０１（第３の表示アイテム）、ユーザ基準の広角端ズーム倍率４０２、ユーザ基準の望遠端ズーム倍率４０３、及びユーザ基準のズーム倍率４０５が表示される。
【００４６】
ユーザアイコン４０１は、カスタマイズレンズ位置を表示するアイコンであり、ユーザ基準の広角端ズーム倍率４０２は、カスタマイズレンズ位置を基準としたときのズームレンズの広角端までのズーム倍率を表示する。ユーザ基準の望遠端ズーム倍率４０３は、カスタマイズレンズ位置を基準としたときのズームレンズの望遠端までのズーム倍率を表示する。ユーザ基準のズーム倍率４０５は、カスタマイズレンズ位置を基準としたときに、ズームレンズが現在位置するレンズ位置におけるズーム倍率を表示する。
【００４７】
図４（ａ）は、焦点距離４．３ｍｍ〜４３ｍｍ（３５ｍｍフィルム換算で２４ｍｍから２４０ｍｍ相当の画角）でズームが可能な１０倍ズームレンズにおいて、カスタマイズレンズ位置が焦点距離８．６ｍｍ（３５ｍｍフィルム換算で４８ｍｍ相当の画角）に設定されている場合の表示例である。当該カスタマイズレンズ位置の場合は、カスタマイズレンズ位置（焦点距離８．６ｍｍ）から見て１／２倍（広角端の焦点距離４．３ｍｍ）までズームアウトすることができる。したがって、ユーザ基準の広角端ズーム倍率４０２には、１／２が表示されている。ユーザはカスタマイズレンズ位置で撮影を行っており、且つ被写体が撮影範囲に収まり切らない場合に、自らが移動して撮影位置を変更しなくとも、その場でズームアウトすることで所望の被写体を全て画角に収められる可能性があることがわかる。
【００４８】
広角端アイコン３０４又は望遠端アイコン３０５のいずれか一方がユーザアイコン４０１と重なる場合（すなわち、カスタマイズレンズ位置が広角端や望遠端に設定された場合）は、いずれか一方を表示すればよい。例えば、広角端アイコン３０４とユーザアイコン４０１が重なる場合を図４（ｂ）及び図４（ｃ）に示す。
【００４９】
図４（ｂ）及び図４（ｃ）は、焦点距離４．３ｍｍ〜４３ｍｍ（３５ｍｍフィルム換算で２４ｍｍから２４０ｍｍ相当の画角）でズームが可能な１０倍ズームレンズにおいて、カスタマイズレンズ位置が焦点距離４．３ｍｍ（３５ｍｍフィルム換算で２４ｍｍ相当の画角）に設定されている場合の表示例である。また、図４（ｂ）の表示とするか図４（ｃ）の表示とするかは、前述のレンズ位置設定画面３００でカスタマイズレンズ位置が設定されているか否かに基づいて選択されてもよい。すなわち、レンズ位置設定画面３００において、ユーザがカスタマイズレンズ位置をあえて広角端に設定した場合は、ユーザが設定した位置が広角端であることを示すために、図４（ｂ）のように、広角端にユーザアイコン４０１を表示する。一方、ユーザがレンズ位置設定画面３００でのカスタマイズレンズ位置の設定を行っておらず、初期ズーム位置がデフォルト値である広角端となっている場合には、図４（ｃ）のように、広角端に広角端アイコン３０４を表示する。
【００５０】
撮影画面４００では、広角端アイコン３０４はレンズ位置の広角端を示し、望遠端アイコン３０５はレンズ位置の望遠端を示し、ユーザアイコン４０１はカスタマイズレンズ位置を示す。これにより、ユーザは視覚的に各レンズ位置の相対関係を把握することができ、もってユーザによる所望のレンズ位置の決定を容易にすることができる。
【００５１】
また、撮影画面４００では、カスタマイズレンズ位置を基準としたときの広角端におけるズーム倍率（ユーザ基準の広角端ズーム倍率４０２）を表示すると共に、カスタマイズレンズ位置を基準としたときの望遠端におけるズーム倍率（ユーザ基準の望遠端ズーム倍率４０３）を表示する。これにより、ユーザはカスタマイズレンズ位置を基準としたときのズーム倍率の可変範囲を容易に把握することができる。
【００５２】
さらに、撮影画面４００では、広角端アイコン３０４又は望遠端アイコン３０５と、ユーザアイコン４０１とが重畳する場合は、いずれか一方を表示する。これにより、広角端アイコン３０４又は望遠端アイコン３０５と、ユーザアイコン４０１とが重畳表示されることがなく、ユーザが混乱するのを防止することができる。
【００５３】
図５は、撮影モード処理を示すフローチャートである。デジタルカメラ１００を起動して、撮影モードに設定すると、本処理が開始される。図５の撮影モード処理は、システム制御部５０が不揮発性メモリ５６に格納されたプログラムをシステムメモリ５２に展開することによって実行される。
【００５４】
Ｓ５０１では、システム制御部５０は、不揮発性メモリ５６に記憶された設定情報を参照し、カスタマイズレンズ位置が設定されているか否かを判別する。カスタマイズレンズ位置が設定されている場合はＳ５０２に進み、カスタマイズレンズ位置が設定されていない場合はＳ５０３に進む。
【００５５】
Ｓ５０２では、システム制御部５０は、レンズ駆動部９０を制御してズームレンズを駆動し、不揮発性メモリ５６から読み出したカスタマイズレンズ位置（ユーザによって設定された初期ズーム位置）にズームレンズを移動する。カスタマイズレンズ位置が撮影モード毎に設定されている場合は、現在の撮影モードに対応するカスタマイズレンズ位置に移動する。このように、カスタマイズレンズ位置を設定した場合は、撮影モード起動時の初期ズーム位置をユーザ所望の位置とすることができる。
【００５６】
Ｓ５０３では、システム制御部５０は、レンズ駆動部９０を制御してズームレンズを駆動し、デフォルトの初期ズーム位置にズームレンズを移動する。デフォルトの初期ズーム位置は広角端であるものとする。なお、ここではデフォルトの初期ズーム位置を広角端としたが、これに限るものではなく他のズーム位置としてもよい。例えば、デフォルトの初期ズーム位置を、撮像される画像と、光学ファインダ２１０を介して確認される視野との差（パララックス）が最も少ない位置としてもよい。
【００５７】
Ｓ５０４では、システム制御部５０は、撮像部２２で撮像している画像をほぼリアルタイムで表示部２８にライブビュー表示する（スルー表示）。また、図４（ａ）〜（ｃ）で説明したような、広角端（ワイド端）から望遠端（テレ端）までにおけるカスタマイズレンズ位置及び現在のズーム位置を示す表示を行う。なお、この時点では初期表示のため、カスタマイズレンズ位置と現在のズーム位置は一致する。
【００５８】
Ｓ５０５では、システム制御部５０は、ズームレバー７０ａの操作（ズーム操作）がされたか否かを判別する。
【００５９】
Ｓ５０５の判別の結果、ズーム操作がされたときは、後述する図６ズーム処理を実行してズームレンズを移動し（Ｓ５０６）、Ｓ５０５に戻る。ズーム操作がされていないときは、操作部７０を構成するメニューボタン７０ｂを押下するメニュー操作がされたか否かを判別する（Ｓ５０７）。
【００６０】
Ｓ５０７の判別の結果、メニュー操作がされたときは、後述する図７のメニュー処理を実行してズームレンズのレンズ位置を設定し（Ｓ５０８）、Ｓ５０５に戻る。メニュー操作がされていないときは、スルー表示を行っている画像中に特定の被写体（例えば、人物の顔）が検出されるか否かを判別する（Ｓ５０９）。
【００６１】
Ｓ５０９の判別の結果、特定の被写体が検出されたときは、検出された被写体の位置座標、サイズ（幅、高さ）、検出個数、信頼性係数等の被写体に関する被写体情報をシステムメモリ５２に格納する（Ｓ５１０）。一方、特定の被写体が検出されていないときは、被写体の位置座標、サイズ（幅、高さ）、検出個数、信頼性係数等の被写体情報に０を設定して（Ｓ５１１）、システムメモリ５２に格納する（Ｓ５１０）。
【００６２】
次に、第１シャッタースイッチ信号ＳＷ１が発生しているか否かを判別する（Ｓ５１２）。第１シャッタースイッチ信号ＳＷ１が発生していないときは、Ｓ５０５に戻り、第１シャッタースイッチ信号ＳＷ１が発生しているときは、被写体までの距離を測定する測距処理を実行してフォーカスレンズの焦点を被写体に合わせる（オートフォーカス）と共に、被写体の明るさを測る測光処理を実行して絞り値及びシャッタースピードを決定して撮影準備を行い（Ｓ５１３）、第２シャッタースイッチ信号ＳＷ２が発生したか否かを判別する（Ｓ５１４）。
【００６３】
Ｓ５１４の判別の結果、第２シャッタースイッチ信号ＳＷ２が発生していないときは第１シャッタースイッチ信号ＳＷ１が発生しているか否かを判別する（Ｓ５１５）。Ｓ５１５の判別の結果、第１シャッタースイッチ信号ＳＷ１が発生しているときはＳ５１４に戻る。これにより、シャッターボタン６１の押下が中途で中断された状態では、フォーカスレンズの焦点が被写体に合った状態が維持されるので、すぐに撮影動作に移ることができる。一方、Ｓ５１５の判別の結果、第１シャッタースイッチ信号ＳＷ１が発生していないときは電源スイッチ７２を切る旨の指示がされているか否かを判別する（Ｓ５１６）。
【００６４】
Ｓ５１６の判別の結果、電源スイッチ７２を切る旨の指示がされていないときは、Ｓ５０５に戻り、電源スイッチ７２を切る旨の指示がされているときは、本処理は終了する。
【００６５】
一方、Ｓ５１４の判別の結果、第２シャッタースイッチ信号ＳＷ２が発生しているときは、表示部２８の表示状態を、例えば、黒一色とする固定色表示とする（Ｓ５１７）。次に、撮像部２２及びＡ／Ｄ変換器２３を経て得られた画像データを、メモリ制御部１５を介してメモリ３２に格納し、メモリ３２に格納された画像を読み出して当該画像を顕像させる撮影処理を実行する（Ｓ５１８）。次いで、撮影処理を実行して得られた画像データを予め設定された時間が経過するまで表示部２８に表示（クイックレビュー表示）して（Ｓ５１９）、画像ファイルとして記録媒体２００に格納し（Ｓ５２０）、第２シャッタースイッチ信号ＳＷ２が発生しているか否かを判別する（Ｓ５２１）。
【００６６】
Ｓ５２１の判別の結果、第２シャッタースイッチ信号ＳＷ２が発生していないときはクイックレビュー表示を継続し、第２シャッタースイッチ信号ＳＷ２が発生しているときは予め設定されたクイックレビュー表示の時間が経過したか否かを判別する（Ｓ５２２）。
【００６７】
Ｓ５２２の判別の結果、表示時間が経過していないときは、表示時間の経過まで待機し、表示時間が経過したときは、クイックレビュー表示をスルー表示に切り替え（撮影待機）（Ｓ５２３）、Ｓ５１５に進む。なお、本処理は電源スイッチ７２を切る旨の指示がされた場合の他にモード切替スイッチ６０によって撮影モードから他のモードへの切替が行われた場合にも終了する。
【００６８】
図６は、図５のＳ５０６で実行されるズーム処理の手順を示すフローチャートである。図６の処理は、システム制御部５０が不揮発性メモリ５６に格納されたプログラムをシステムメモリ５２に展開することによって実行される。
【００６９】
図６において、ズーム操作が広角側に向けて行われたか否かを判別する（Ｓ６０１）。Ｓ６０１の判別の結果、ズーム操作が広角側に向けて行われたときはズームレンズを広角側に移動し（Ｓ６０２）、一方、ズーム操作が広角側に向けて行われていないとき（望遠側に操作されたとき）はズームレンズを望遠側に移動する（Ｓ６０３）。
【００７０】
次に、Ｓ６０４では、ズーム操作が終了したか否かを判別する。ズーム操作の終了とは、例えば、ズームレバー７０ａが離された（ズームレバー７０ａへの操作が解除された）場合のことである。ズームレバー７０ａが離された場合はＳ６０６に進んでズームレンズの移動を停止する（ズームを停止する）。ズームレバーが離されていない場合はＳ６０５に進む。
【００７１】
ここでは、ズームレバー７０ａを操作してズーム操作を行う例を説明したが、ズーム操作を行う方法はこれに限るものではなく、ズームボタンを押下してズーム操作を行ってもよく、タッチパネルをタッチしてズーム操作を行ってもよい。例えば、ズームボタンを押下する場合、広角端、望遠端、カスタマイズレンズ位置以外の位置ではズームボタンが押下されている限りズーム位置は移動する。ユーザはスルー画像３１０を確認し、所望のズーム位置となった場合にズームボタンを離せばよい。また、ズームボタンを連続して押下し、ズーム位置を変更する場合は、Ｓ６０５において、ズームボタンの押下を中止してから所定時間（数１００ｍｓｅｃ程度）が経過したか否かを判別し、所定時間が経過した場合にズーム操作が終了したとみなして、Ｓ６０６に進むようにしてもよい。
【００７２】
Ｓ６０５では、システム制御部５０は、ズーム位置がカスタマイズレンズ位置に到達したか否かを判別する。ズーム位置がカスタマイズレンズ位置となった場合はＳ６０６に進んでズーム操作に応じたズームレンズの駆動（以下、「ズーム駆動」という）を停止し、ズーム位置がカスタマイズレンズ位置となっていない場合はＳ６０１に戻り、ズーム駆動を継続する。すなわち、ズーム駆動を実行してズーム位置がカスタマイズレンズ位置となった場合に、ズームレバー７０ａの操作が終了していなくとも（ユーザがズームレバー７０ａから指を離していなくとも）、ズーム駆動を停止する。
【００７３】
ズームがカスタマイズレンズ位置で停止したのち、一旦ズームレバー７０ａズームレバーの操作を終了して、再度同一の方向にズームレバーを操作すると、カスタマイズレンズ位置を跨いで広角側又は望遠側にズーム駆動することができる。このように、ズーム操作の途中であってもカスタマイズレンズ位置でズーム駆動を停止するので、ユーザは、細かいズームの調整を行わなくとも簡単に自分が登録したカスタマイズレンズ位置にズーム位置を調整することができる。これによって、カスタマイズレンズ位置からズームアップして望遠側にズームを移動する操作と、ズーム位置をカスタマイズレンズ位置に戻す操作とを素早く簡単に行うことができる。すなわち、カスタマイズレンズ位置と望遠側の行き来を素早く簡単に行うことができる。
【００７４】
また、カスタマイズレンズ位置から広角側にズームアウトして広角側にズームを移動する操作と、ズーム位置をカスタマイズレンズ位置に戻す操作とを素早く簡単に行うことができる。すなわち、カスタマイズレンズ位置と広角側の行き来を素早く簡単に行うことができる。このように、ユーザは、カスタマイズレンズ位置を基本のズーム位置として撮影を行うことができる。
【００７５】
なお、上述の例では、ズーム駆動を実行してズーム位置がカスタマイズレンズ位置となった場合に、ズームレバー７０ａの操作が終了していなくとも（ユーザがズームレバー７０ａから指を離していなくとも）、ズーム駆動を停止し、一旦ズームレバーの操作を終了して再度ズームレバーの操作を開始しない限りズームカスタマイズレンズ位置を跨いでのズームは行えない例を説明したが、これに限るものではない。その他、カスタマイズレンズ位置となった場合にズーム駆動を停止し、停止後も所定の時間（数秒程度）ズームレバー７０ａを離さずに操作継続するとカスタマイズレンズ位置を跨いでズームするようにしてもよい。
【００７６】
また、本発明の実施の形態では、Ｓ６０５において、広角側への操作（ズームアウト操作）であるか望遠側への操作（ズームイン操作）であるかに関わらずカスタマイズレンズ位置に到達したか否かを判別し、カスタマイズレンズ位置になった場合にズーム駆動を停止する例を説明したが、ズーム駆動の停止の例はこれに限るものではない。広角側への操作（ズームアウト操作）及び望遠側への操作（ズームイン操作）のいずれか一方の操作がされた場合にのみカスタマイズレンズ位置で停止するようにしてもよい。
【００７７】
例えば、カスタマイズレンズ位置よりも望遠側から広角側への操作（ズームアウト操作）を行ってカスタマイズレンズ位置となった場合にはズーム駆動を停止する。一方、カスタマイズレンズ位置よりも広角側から望遠側への操作（ズームイン操作）を行ってカスタマイズレンズ位置となった場合にはズームを停止せずに、ズーム操作を継続することでそのままカスタマイズレンズ位置よりも望遠側までズームインできるようにしてもよい。このようにすることで、望遠側からカスタマイズレンズ位置に戻る操作を容易とする一方で、広角側から一気にズームインしたい場合に操作性良くズームインすることができる。
【００７８】
さらに、カスタマイズレンズ位置を１つ登録する例を説明したが、複数の撮影モード毎に異なるカスタマイズレンズ位置を設定できるようにしてもよい。例えば、撮影モードの１つであるシーンモードには花火を鮮やかに撮影できる花火モード及び室内で人物を撮影できるスナップ撮影モードが含まれる。ユーザは花火モードとスナップ撮影モードとで異なるカスタマイズレンズ位置を設定することができ、例えば、以下のような設定とすることができる。すなわち、花火モードでは、夜空に浮かぶ花火を撮影するため、やや望遠寄りにカスタマイズレンズ位置を設定する。一方、スナップ撮影モードでは、狭い室内にいる多くの人物を撮影範囲に収めるため、広角寄りにカスタマイズレンズ位置を設定する。
【００７９】
図７は、図５のＳ５０８で実行されるメニュー処理を示すフローチャートである。図７の処理は、システム制御部５０が不揮発性メモリ５６に格納されたプログラムをシステムメモリ５２に展開することによって実行される。
【００８０】
図７において、まず、メニューボタン７０ｂが押下されると各種設定が可能な撮影／設定画面（図３（ａ））が画像表示部２８に表示され、表示された撮影／設定画面におけるレンズ位置設定ボタン３０１が押下されたか否かを判別する（Ｓ７０１）。
【００８１】
Ｓ７０１の判別の結果、レンズ位置設定ボタン３０１が押下されないときは直ちに本処理を終了し、レンズ位置設定ボタン３０１が押下されたときはレンズ位置設定画面３００（図３（ｂ））が画像表示部２８に表示され（Ｓ７０２）、カスタマイズレンズ位置を決定するためのズーム操作が行われたか否かを判別する（Ｓ７０３）。
【００８２】
Ｓ７０３の判別の結果、ズーム操作が行われたときはズームレンズがユーザ所望のレンズ位置に移動するまでズーム操作が継続される（Ｓ７０８）。このとき、ユーザはレンズ位置設定画面３００を確認しながらズームレバー７０ａを操作する。一方、Ｓ７０３の判別の結果、ズーム操作が行われていないとき（ズーム操作が終了したとき）はセットボタンが押下されたか否かを判別する（Ｓ７０４）。
【００８３】
Ｓ７０４の判別の結果、セットボタンが押下されたときはセットボタン押下時のレンズ位置をカスタマイズレンズ位置として確定して（Ｓ７０７）、本処理を終了する。一方、セットボタンが押下されていないときはメニューボタン７０ｂが押下されたか否かを判別する（Ｓ７０５）。
【００８４】
Ｓ７０５の判別の結果、メニューボタン７０ｂが押下されたときはカスタマイズレンズ位置の設定を中止して（Ｓ７０６）、本処理を終了する。一方、Ｓ７０５の判別の結果、メニューボタン７０ｂが押下されていないときはＳ７０３に戻る。
【００８５】
図７の処理によれば、ユーザはレンズ位置設定画面３００を確認しながらカスタマイズレンズ位置を設定する（Ｓ７０８）ので、ユーザが所望するズーム位置をカスタマイズレンズ位置として設定することができ、もってユーザの意思が直接反映されたズーム位置を設定できる。
【００８６】
図７の処理において、ユーザがカスタマイズレンズ位置を設定するメニュー処理を説明したが、当該処理によってカスタマイズレンズ位置を設定しない場合は、デジタルカメラ１００に蓄積された操作履歴からユーザの使用頻度が高いズーム倍率に対応するレンズ位置をカスタマイズレンズ位置として設定してもよい。すなわち、ユーザは撮影時に、ユーザに使用される頻度の高いレンズ位置を所望する可能性が高いと予想されるため、カスタマイズレンズ位置がユーザに使用される頻度の高いレンズ位置に基づいて設定されることにより、カメラのユーザに対する使い勝手を向上することができる。
【００８７】
本発明の実施の形態を実現するために、装置（デジタルカメラ１００）全体の制御を１つのハードウェア（例えば、システム制御部５０）が行ってもよく、複数のハードウェアが処理を分担して行ってもよい。また、本発明を上述の実施の形態に基づいて詳述したが、本発明は上述の実施の形態に限られるものではなく、本発明の要旨を逸脱しない範囲の様々な形態も本発明に含まれる。
【００８８】
上述の実施の形態において、本発明をデジタルカメラ１００に適用した場合を例にして説明したが、適用される装置はこれに限定されず、本発明は、撮像手段を有する機器、例えば、ＰＣ、ＰＤＡ、携帯電話端末、タブレット、音楽プレーヤー、ゲーム機、及び電子ブックリーダー等に適用可能である。
【００８９】
本発明は、上述した実施の形態の機能を実現するソフトウエア（プログラム）をネットワーク又は各種記憶媒体を介してシステム或いは装置に供給し、そのシステム或いは装置のコンピュータ（又はＣＰＵやＭＰＵ等）がプログラムを読み出して実行する処理において、そのプログラム、及び該プログラムを格納するコンピュータ読み取り可能な記憶媒体によって構成されてもよい。
【符号の説明】
【００９０】
１００  デジタルカメラ
１０３  撮影レンズ
３０４  広角端アイコン
３０５  望遠端アイコン
４０１  ユーザアイコン
４０２  ユーザ基準の広角端ズーム倍率
４０３  ユーザ基準の望遠端ズーム倍率
【図１】
2018109794.tif 000003
【図２】
2018109794.tif 000004
【図３】
2018109794.tif 000005
【図４】
2018109794.tif 000006
【図５】
2018109794.tif 000007
【図６】
2018109794.tif 000008
【図７】
2018109794.tif 000009